(57)【要約】      （修正有）【課題】自転車の盗難防止並びに無断駐輪防止錠を備えた駐輪ラックを提供する。【解決手段】例えば車両載置台レール３aと車輪ガイドフレーム７a間の後輪６aに対して直交方向にスライドするスライドアーム１３を設け、該スライドアーム１３のスライドにて後輪６aを車両載置台レール３aとスライドアーム１３間で挟持して前記駐輪ラック１上に自転車２aを連繋し、該スライドアーム１３のスライドを施錠により固定可能な錠前機構１２を設け、前記駐輪ラック１上で自転車２aの後輪６aを連繋した状態でダイヤル錠２１を施錠し車両載置台レール３a上の自転車２aを駐輪ラック１に固定する。【選択図】図２ａ
2006150995.tif 000002
【特許請求の範囲】
【請求項１】
自転車を載置するためのハット型鋼形状の車両載置台レールと、車両載置台レール上の前輪側に設置され自転車を直立支持するための車輪支持フレームと、後輪側に設置される車輪ガイドフレームからなる駐輪ラックにおいて、  前記車両載置台レールと車輪ガイドフレーム間の後輪に対して直交方向にスライドするスライドアームを設け、
該スライドアームのスライドにて後輪を車両載置台レールとスライドアーム間で挟持して前記駐輪ラック上に自転車を連繋し、
該スライドアームのスライドを施錠により固定可能な錠前機構を設け、
前記駐輪ラック上で自転車の後輪を連繋した状態で前記錠前を施錠し車両載置台レール上の自転車を駐輪ラックに固定可能となし、
また、前記錠前を開錠をすることによりスライドアームをスライドさせて駐輪ラック上の自転車の連繋を任意に開放可能とし、
該自転車を駐輪ラックより引き出した後に再びスライドアームを前記車両載置台レール対して直交方向にスライドさせて施錠することで車両載置台レールを封鎖可能に構成したこと、
を特徴とする自転車の盗難防止並びに無断駐輪防止錠を備えた駐輪ラック。
【請求項２】
自転車を載置するためのハット型鋼形状の車両載置台レールと、車両載置台レール上の前輪側に設置され自転車を直立支持するための車輪支持フレームと、後輪側に設置される車輪ガイドフレームからなる駐輪ラックにおいて、  前記車両載置台レールと車輪支持フレーム間の前輪に対して直交方向にスライドするスライドアームを設け、
該スライドアームのスライドにて前輪を車両載置台レールとスライドアーム間で挟持して前記駐輪ラック上に自転車を連繋し、
該スライドアームのスライドを施錠により固定可能な錠前機構を設け、
前記駐輪ラック上で自転車の前輪を連繋した状態で前記錠前を施錠し車両載置台レール上の自転車を駐輪ラックに固定可能となし、
また、前記錠前を開錠をすることによりスライドアームをスライドさせて駐輪ラック上の自転車の連繋を任意に開放可能とし、
該自転車を駐輪ラックより引き出した後に再びスライドアームを前記車両載置台レール対して直交方向にスライドさせて施錠することで車両載置台レールを封鎖可能に構成したこと、
を特徴とする自転車の盗難防止並びに無断駐輪防止錠を備えた駐輪ラック。
【請求項３】
前記スライドアームと錠前機構は車輪支持フレーム及び車輪ガイドフレームの略中央部に設置され、該それぞれの車輪支持フレーム及び車輪ガイドフレームの略中央部は自転車が車両載置台レール上にセットされ時、該前輪または後輪の軸心直下に位置し前記スライドアームが車両載置台レールを封鎖状態にしている状態にて無断駐輪すると該自転車が直立に支持されないか、またはバックして駐輪ラックに収まらないよう構成したこと、
を特徴とする請求項１または請求項２の何れかに記載の自転車の盗難防止並びに無断駐輪防止錠を備えた駐輪ラック。
【請求項４】
前記スライドアームのスライドを固定する錠前機構は暗唱番号の変更が任意に可能なダイヤル錠であること、
を特徴とする請求項１乃至請求項３の何れかに記載の自転車の盗難防止並びに無断駐輪防止錠を備えた駐輪ラック。
【請求項５】
前記スライドアームのスライドを固定する錠前機構はメイルボックスの錠前機構と同じダイヤル錠となし同一暗唱番号にて管理可能としたこと、
を特徴とする請求項１乃至請求項４の何れかに記載の自転車の盗難防止並びに無断駐輪防止錠を備えた駐輪ラック。
【請求項６】
前記駐輪ラックの車両載置台レール上に車輪ガイドフレームがない場合には前記車両載置台レールを下方から覆うハット型鋼形状のカバー材を設け、該カバー材に冠設しボルト等の締結により前記車両載置台レールに固着可能なチャンネル材を設け、該チャンネル材上方向に対向して一対の車輪ガイドフレームを設けたこと、
を特徴とする請求項１乃至請求項５の何れかに記載の自転車の盗難防止並びに無断駐輪防止錠を備えた駐輪ラック。
【発明の詳細な説明】
【技術分野】
【０００１】
本発明は自転車の盗難防止並びに無断駐輪防止錠を備えた駐輪ラックに関する物であり、本発明は、特にマンション等の集合住宅に設置される駐輪ラックに用いられ顕著な効果を発揮するものである。
【背景技術】
【０００２】
マンション等の集合住宅に設置される駐輪ラックは、主に上下２段式や、平置ラックタイプ、傾斜ラックタイプ、平置ラックと傾斜ラックタイプの併用機構を有する駐輪ラック等が多い。
【０００３】
また、前記駐輪ラックは、自転車を載置するためのハット型鋼形状の車両載置台レールと、該車両載置台レール上の前輪側に設置され自転車を直立支持するための車輪支持フレームと、後輪側に設置される車輪ガイドフレームから形成されている。
【０００４】
而して、並設された前記駐輪ラック上に平行に自転車が並べられて行く過程で、それぞれの自転車が互いに隣接する自転車のハンドルや前籠に接触して干渉が生じないように平置タイプと傾斜タイプの併用で、且つ、それぞれの駐輪ラックが互いに並行レール上を平行移動して駐輪ラック間の間隔、即ち、それぞれの自転車同士の間隔が任意に可変できる装置が開発されている。
【０００５】
然しながら、上記車両載置台レール上にに自転車を載置して起立させる形式の駐輪ラックにおいては、自転車がどうしても一方向に傾き、自転車が並べられて行く過程で、該自転車が隣接する自転車のハンドルや前籠に接触して互いに干渉が生じ自転車を引き出す特隣接する自転車が一緒に引き出されることがあり、自転車の出し入れが困難になるという問題が生じたり、スペース的に効率の悪い駐輪がなされたりしている。
【０００６】
従って、前記車両載置台レールの形状や、該車両載置台レールの前輪側に設置される車輪支持フレーム、後輪部に設置されれる車輪ガイドフレームの形状に工夫がなされ、左右に自転車が傾くことなく直立して車両載置台レールに載置されているような発明がなされ、特開２００３−３２０９７２号公報の如く開示されている。
【特許文献１】特開２００３−３２０９７２号公報
【発明の開示】
【発明が解決しようとする課題】
【０００７】
ところで、本発明は、上述のように一般的になってきた駐輪ラックにおいて、前記ハット型鋼形状の車両載置台レール、車輪支持フレーム、車輪ガイドフレームを利用して設置される自転車の盗難防止並びに無断駐輪防止錠を備えた駐輪ラックを提供するものである。
【０００８】
従来、マンション等の集合住宅における駐輪機の管理は、各人の自己管理に任されているところが多く、予め決められた所定の場所以外に間違えて駐輪したり、無断駐輪することでのトラブルが多く発生している。
【０００９】
また、駐輪場に設置されている駐輪ラックに収納される自転車は、盗難防止用に各人の自転車に設置されている錠前を施錠したり、前記駐輪ラックに設けられた車輪支持フレームと車輪間をワイヤーキーにて連繋して施錠する方法がとられているが、鍵の破壊や鍵のかけ忘れ等による自転車の盗難も増加の傾向にある。  
【００１０】
斯くして、本発明は、自転車を載置するためのハット型鋼形状の車両載置台レールと、車両載置台レール上の前輪側に設置され自転車を直立支持するための車輪支持フレームと、後輪側に設置される車輪ガイドフレームからなる駐輪ラックにおいて、上記問題点を解消できる自転車の盗難防止並びに無断駐輪防止錠を備えた駐輪ラックを提供するもので、該機構はシンプルにて堅剛であり、また、簡単なアタッチメントを使用することにより既存の駐輪ラックにも付設できるものである。
【課題を解決するための手段】
【００１１】
本発明は、自転車を載置するためのハット型鋼形状の車両載置台レールと、車両載置台レール上の前輪側に設置され自転車を直立支持するための車輪支持フレームと、後輪側に設置される車輪ガイドフレームからなる駐輪ラックにおいて、前記車両載置台レールと車輪ガイドフレーム間の後輪に対して直交方向にスライドするスライドアームを設け、該スライドアームのスライドにて後輪を車両載置台レールとスライドアーム間で挟持して前記駐輪ラック上に自転車を連繋し、該スライドアームのスライドを施錠により固定可能な錠前機構を設け、前記駐輪ラック上で自転車の後輪を連繋した状態で前記錠前を施錠し車両載置台レール上の自転車を駐輪ラックに固定可能となし、また、前記錠前を開錠をすることによりスライドアームをスライドさせて駐輪ラック上の自転車の連繋を任意に開放可能とし、該自転車を駐輪ラックより引き出した後に再びスライドアームを前記車両載置台レール対して直交方向にスライドさせて施錠することで車両載置台レールを封鎖可能に構成した自転車の盗難防止並びに無断駐輪防止錠を備えた駐輪ラックである。
【００１２】
また本発明は、自転車を載置するためのハット型鋼形状の車両載置台レールと、車両載置台レール上の前輪側に設置され自転車を直立支持するための車輪支持フレームと、後輪側に設置される車輪ガイドフレームからなる駐輪ラックにおいて、  前記車両載置台レールと車輪支持フレーム間の前輪に対して直交方向にスライドするスライドアームを設け、該スライドアームのスライドにて前輪を車両載置台レールとスライドアーム間で挟持して前記駐輪ラック上に自転車を連繋し、該スライドアームのスライドを施錠により固定可能な錠前機構を設け、前記駐輪ラック上で自転車の前輪を連繋した状態で前記錠前を施錠し車両載置台レール上の自転車を駐輪ラックに固定可能となし、また、前記錠前を開錠をすることによりスライドアームをスライドさせて駐輪ラック上の自転車の連繋を任意に開放可能とし、該自転車を駐輪ラックより引き出した後に再びスライドアームを前記車両載置台レール対して直交方向にスライドさせて施錠することで車両載置台レールを封鎖可能に構成した自転車の盗難防止並びに無断駐輪防止錠を備えた駐輪ラックである。
【００１３】
本発明において、前記スライドアームと錠前機構は、車輪支持フレーム及び車輪ガイドフレームの略中央部に設置され、該それぞれの車輪支持フレーム及び車輪ガイドフレームの略中央部は自転車が車両載置台レール上にセットされ時、該前輪または後輪の軸心直下に位置し前記スライドアームが車両載置台レールを封鎖状態にしている状態にて無断駐輪すると該自転車が直立に支持されないか、またはバックして駐輪ラックに収まらないよう構成した自転車の無断駐輪防止錠を備えた駐輪ラックでもある。
【００１４】
また、本発明において、前記スライドアームのスライドを固定する錠前機構は、暗唱番号の変更が任意に可能なダイヤル錠であることを特徴とする自転車の盗難防止並びに無断駐輪防止錠を備えた駐輪ラックでもある。
【００１５】
更に、本発明において、前記スライドアームのスライドを固定する錠前機構はメイルボックスの錠前機構と同じダイヤル錠となし同一暗唱番号にて管理可能としたことを特徴とする自転車の盗難防止並びに無断駐輪防止錠を備えた駐輪ラックでもある。
【００１６】
更には、本発明は、前記駐輪ラックの車両載置台レール上に車輪ガイドフレームがない場合に、前記車両載置台レールを下方から覆うハット型鋼形状のカバー材を設け、該カバー材に冠設しボルト等の締結により前記車両載置台レールに固着可能なチャンネル材を設け、該チャンネル材上方向に対向して一対の車輪ガイドフレームを設けた自転車の盗難防止並びに無断駐輪防止錠を備えた駐輪ラックでもある。
【発明の効果】
【００１７】
而して、本発明は、駐輪ラックにおいて、ハット型鋼形状の車両載置台レール、車輪支持フレーム、車輪ガイドフレームを利用して簡単に設置される自転車の盗難防止並びに無断駐輪防止錠を備えた駐輪ラックを提供することができた。
【００１８】
また、本発明を実施した駐輪ラックは、予め決められた所定の場所以外に間違えて駐輪したり、無断駐輪すると自転車が直立して支持されず、また、自転車がバックしてしまい場所の間違いや、無断駐輪を知らしめることができるものである。
【００１９】
更に、本発明は、駐輪ラック上の自転車に施錠するためにメイルボックスの錠前機構と同じダイヤル錠となし同一暗唱番号にて管理可能としたマンション等の集合住宅用の便利な駐輪ラックを提供することができた。
【００２０】
更にまた、本発明は、シンプルにて堅剛であり、簡単なアタッチメントを使用することにより既存の駐輪ラックにも簡単に付設できるものである。
【発明を実施するための最良の形態】
【００２１】
本発明は、自転車を載置するためのハット型鋼形状の車両載置台レールと、車両載置台レール上の前輪側に設置され自転車を直立支持するための車輪支持フレームと、後輪側に設置される車輪ガイドフレームからなる駐輪ラックにおいて、前記車両載置台レールと車輪ガイドフレーム間の後輪に対して直交方向にスライドするスライドアームを設け、該スライドアームのスライドにて後輪を車両載置台レールとスライドアーム間で挟持して前記駐輪ラック上に自転車を連繋し、該スライドアームのスライドを施錠により固定可能な錠前機構を設け、前記駐輪ラック上で自転車の後輪を連繋した状態で前記錠前を施錠し車両載置台レール上の自転車を駐輪ラックに固定可能となし、また、前記錠前を開錠をすることによりスライドアームをスライドさせて駐輪ラック上の自転車の連繋を任意に開放可能とし、該自転車を駐輪ラックより引き出した後に再びスライドアームを前記車両載置台レール対して直交方向にスライドさせて施錠することで車両載置台レールを封鎖可能に構成した自転車の盗難防止並びに無断駐輪防止錠を備えた駐輪ラックである。
【００２２】
本発明は、自転車を載置するためのハット型鋼形状の車両載置台レールと、車両載置台レール上の前輪側に設置され自転車を直立支持するための車輪支持フレームと、後輪側に設置される車輪ガイドフレームからなる駐輪ラックにおいて、前記車両載置台レールと車輪支持フレーム間の前輪に対して直交方向にスライドするスライドアームを設け、該スライドアームのスライドにて前輪を車両載置台レールとスライドアーム間で挟持して前記駐輪ラック上に自転車を連繋し、該スライドアームのスライドを施錠により固定可能な錠前機構を設け、前記駐輪ラック上で自転車の前輪を連繋した状態で前記錠前を施錠し車両載置台レール上の自転車を駐輪ラックに固定可能となし、また、前記錠前を開錠をすることによりスライドアームをスライドさせて駐輪ラック上の自転車の連繋を任意に開放可能とし、該自転車を駐輪ラックより引き出した後に再びスライドアームを前記車両載置台レール対して直交方向にスライドさせて施錠することで車両載置台レールを封鎖可能に構成した自転車の盗難防止並びに無断駐輪防止錠を備えた駐輪ラックである。
【００２３】
尚、本発明において、前記スライドアームと錠前機構は、車輪支持フレーム及び車輪ガイドフレームの略中央部に設置され、該それぞれの車輪支持フレーム及び車輪ガイドフレームの略中央部は自転車が車両載置台レール上にセットされ時、該前輪または後輪の軸心直下に位置し前記スライドアームが車両載置台レールを封鎖状態にしている状態にて無断駐輪すると該自転車が直立に支持されないか、またはバックして駐輪ラックに収まらないよう構成することが好ましい。
【００２４】
また、本発明において、前記スライドアームのスライドを固定する錠前機構は、暗唱番号の変更が任意に可能なダイヤル錠であることが好ましい。
【００２５】
更に、本発明において、前記スライドアームのスライドを固定する錠前機構は、メイルボックスの錠前機構と同じダイヤル錠となし同一暗唱番号にて管理可能であることが好ましい。
【００２６】
また、本発明において、前記駐輪ラックの車両載置台レール上に車輪ガイドフレームがない場合には、前記車両載置台レールを下方から覆うハット型鋼形状のカバー材を設け、該カバー材に冠設しボルト等の締結により前記車両載置台レールに固着可能なチャンネル材を設け、該チャンネル材上方向に対向して一対の車輪ガイドフレームを設けることが好ましい。
【実施例１】
【００２７】
図１乃至図３は実施例１を説明するもので、図１は駐輪ラックにおいて、本発明の自転車の盗難防止並びに無断駐輪防止錠の取付位置を説明する側面図、図２（a）、図２（ｂ）は図１に示した 盗難防止並びに無断駐輪防止錠部分の要部断面図であり、その内、図２（a）は盗難防止並びに無断駐輪防止錠の施錠状態を示し、図２（ｂ）は 盗難防止並びに無断駐輪防止錠の開錠状態を示している。
【００２８】
また、図３（a）は前記図２（a）の斜視説明図であり、図３（ｂ）は前記図２（ｂ）の斜視説明図である。
【００２９】
而して、図１において、１は駐輪ラックを示しており、該駐輪ラック１は、自転車２a、２ｂを載置するためのハット型鋼形状の車両載置台レール３a、３ｂと、該車両載置台レール３a、３ｂ上の前輪４a、４ｂ側に設置され自転車２a、２ｂを直立支持するための車輪支持フレーム５a、５ｂと、後輪６a、６ｂ側に設置される車輪ガイドフレーム７a、７ｂから形成されている。
【００３０】
そして、並設された前記車両載置台レール３a、３ｂ上に並列して自転車２a、２ｂが並べられて行く過程で、それぞれの自転車２a、２ｂが互いに隣接する自転車のハンドルや前籠に接触して干渉が生じないように平置タイプと傾斜タイプの併用で車両載置台レール３a、３ｂを配置し、該車両載置台レール３a、３ｂの下部に平行レール８a、８ｂを敷設して、それぞれの車両載置台レール３a、３ｂを平行移動可能に構成して、前記車両載置台レール３a、３ｂ間の間隔が任意に可変できるものである。
【００３１】
図１において、９a、９ｂは前輪４a、４ｂ側の車輪支持フレーム５a、５ｂにそれぞれ設置される盗難防止並びに無断駐輪防止錠の取付位置を示すもので、同様に１０a、１０ｂは後輪６a、６ｂ側の車輪ガイドフレーム７a、７ｂにそれぞれ設置される盗難防止並びに無断駐輪防止錠の取付位置を示している。
【００３２】
斯くして、上記盗難防止並びに無断駐輪防止錠の取付位置９a、９ｂ、１０a、１０ｂは、それぞれ前輪４a、４ｂ、後輪６a、６ｂの軸芯部直下に位置しており、該無断駐輪防止錠の取付位置９a、９ｂ、１０a、１０ｂでは車輪を挟持して車輪支持フレーム５a、５ｂや車輪ガイドフレーム７a、７ｂに固着する通常の施錠が行える他、自転車２a、２ｂが空の状態で錠前が施錠されていると、後から無断駐輪する自転車は、車輪が正しく車輪支持フレーム５a、５ｂにて支持されることはなく、該自転車が左右に傾いてしまったり、前記車両載置台レール３a、３ｂの傾きに沿ってバックしてしまう構成となっている。
【００３３】
図２(a）、（ｂ）においては、前記盗難防止並びに無断駐輪防止錠の取付位置１０aを一例として示しており、３aは車両載置台レールの断面形状を表している。
【００３４】
ハット型鋼形状の車両載置台レール３aの溝部１１には、自転車２aの前輪４a通過して後輪６a（想像線にて示す）が収納され、該自転車２aを直立した状態に支持するもので、該支持状態にて本発明の錠前機構１２を構成するスライドアーム１３は、溝部１１上部にスポーク１４の合間をぬってスライドして溝部１１側に突出し、自転車の２aの後輪６aを挟持した形で車両載置台レール３aの溝部１１内に固着連繋される。
【００３５】
図２（a）はこの状態を示しており、この状態において前記錠前機構１２は、車両載置台レール３aの縁部１５にカバー材１６、当板１７を介してピン螺子１８により固着されている。而して錠前機構１２は、前記スライドアーム１３と該スライドアーム１３の動きを固定したり、開放することのできるラッチ１９とラッチ受け丸棒２０、ダイヤル錠２１を錠前本体ケース２２内に内装している。
【００３６】
図２における７aは、前記車両載置台レール３aの縁部１５にそれぞれ対向して設けられた車輪ガイドフレームであり、該車輪ガイドフレーム７aの片方は、その外周部に滑りの良いテフロンテープを貼付して、前記スライドアーム１３のガイドとしてスライド溝２３内に嵌挿されている。
【００３７】
そして、前記スライドアーム１３の他端に設けられたダイヤル錠取付パネル２４には、ダイヤル錠２１が装着されており、該ダイヤル錠２１を矢印方向の引くことにより、前記スライドアーム１３は車両載置台レール３aの溝部１１を図２（ｂ）の如く開放動作する。
【００３８】
また、図２(a）の状態の如く、ダイヤル錠２１のラッチ１９を錠前本体ケース２２に設置されたラッチ受け丸棒２０に係合させたまま、ダイヤル錠２１を回転させて施錠操作すれば、ダイヤル錠２１のラッチ１９はラッチ受け丸棒２０に係合したままで、前記ダイヤル錠２１を矢印方向に引いても、該ダイヤル錠２１はスライドすることなく、スライドアーム１３は錠前本体ケース２２に固着連繋した状態を維持することができる。
【００３９】
而して、図３(a）は、図２（a）の状態を解りやすく斜視図として示した図、図３（ｂ）は、図２（ｂ）の状態を解りやすく斜視図としてそれぞれ示している。
【００４０】
本発明の実施例１に使用されるダイヤル錠２１は、例えばマンションのメイルボックス等に良く使用されているダイヤル錠で、該ダイヤル錠２１はダイヤルを右に回して親番号を２回、目盛り３０に合わせ、次に左へもどして子番号を合わせると解錠可能な錠前である。そして、該錠前機構１２は、操作が簡単で確実性が高いので、本願発明の前記スライドアーム１３のスライドを固定する錠前機構１２として使用し、メイルボックスの錠前機構と同じ暗唱番号にて管理可能とすることができる。
【００４１】
而して、上記実施例１は車輪ガイドフレーム７aに錠前機構１２を取り付けた例に基づ記説明したが、本発明は  前記車両載置台レール３a、３ｂと車輪支持フレーム５a、５ｂ間の前輪４a、４ｂに対して直交方向にスライドするスライドアーム１３を設け、該スライドアーム１３のスライドにて前輪４a、４ｂを車両載置台レール３a、３ｂとスライドアーム１３間で挟持して前記駐輪ラック１上に自転車２a、２ｂを連繋し、該スライドアーム１３のスライドを施錠により固定可能な錠前機構１２を設け、前記駐輪ラック１上で自転車２a、２ｂの前輪４a、４ｂを連繋した状態でダイヤル錠２１を施錠し車両載置台レール３a、３ｂ上の自転車を駐輪ラック１に固定可能となし、また、前記ダイヤル錠２１を開錠をすることによりスライドアーム１３をスライドさせて駐輪ラック１上の自転車２a、２ｂの連繋を任意に開放可能とし、該自転車２a、２ｂを駐輪ラック１より引き出した後に、再びスライドアーム１３を前記車両載置台レール３a、３ｂ対して直交方向にスライドさせて施錠することで車両載置台レール３a、３ｂを封鎖可能に構成した自転車の盗難防止並びに無断駐輪防止錠を備えた駐輪ラックを提供することができた。
【００４２】
また、本発明の実施例１においては、前記スライドアーム１３と錠前機構１２は車輪支持フレーム９a、９ｂ、及び車輪ガイドフレーム7a、７ｂの略中央部に設置され、該それぞれの車輪支持フレーム９a、９ｂ、及び車輪ガイドフレーム7a、７ｂの略中央部は自転車２a、２ｂが車両載置台レール３a、３ｂ上にセットされ時、該前輪４a、４ｂまたは後輪６a、６ｂの軸心直下に位置し、前記スライドアーム１３が車両載置台レール３a、３ｂを封鎖状態にしている状態にて無断駐輪すると該自転車２a、２ｂ等が直立に支持されないか、またはバックして駐輪ラック１に収まらないよう構成した自転車の盗難防止並びに無断駐輪防止錠を備えた駐輪ラックを提供することができた。。
【００４３】
更にまた、本発明の実施例１では、前記スライドアーム１３のスライドを固定する錠前機構１２は暗唱番号の変更が任意に可能なダイヤル錠２１を用いた自転車の盗難防止並びに無断駐輪防止錠を備えた駐輪ラックである。
【実施例２】
【００４４】
図４は実施例２を説明する要部断面図であり、該断面図は車両載置台レール３a、３ｂに車輪ガイドフレーム２５を取り付けるためのアタッチメント２６を示している。
【００４５】
実施例２において、前記駐輪ラック１の車両載置台レール３a、３ｂ上に車輪ガイドフレーム７a、７ｂがない場合には、前記車両載置台レール３a、３ｂを下方から覆うハット型鋼形状のカバー材２７を設け、該カバー材２７に冠設しボルト２８a、２８ｂ等の締結により前記車両載置台レール３a、３ｂに固着可能なチャンネル材２９a、２９ｂを設け、該チャンネル材２９a、２９ｂの上方向に対向して一対の車輪ガイドフレーム２５を設けることことで、本発明の錠前機構１２を簡単に取り付ける事ができるので、該実施例２は、機能アップのためのリフォーム工事等に適しており、本発明の応用範囲を拡大するすることができる。
【産業上の利用可能性】
【００４６】
斯くして、本発明は、自転車の盗難防止並びに無断駐輪防止錠を備えた駐輪ラックに関する物であり、本発明は、特に戸数の多いマンション等の集合住宅に設置される駐輪ラックに用いられ顕著な効果を発揮するもので、その産業上の両価値は多大なものがある。  
【図面の簡単な説明】
【００４７】
【図１】本発明の自転車の盗難防止並びに無断駐輪防止錠の取付位置を説明する        側面図である。
【図２】図１に示した 盗難防止並びに無断駐輪防止錠部分の要部断面図である。
【図３】図２の斜視説明図である。
【図４】車両載置台レールに車輪ガイドフレームを取り付けるためのアタッチメ        ント説明図である。
【符号の説明】
【００４８】
１  駐輪ラック
２a、２ｂ  自転車
３a、３ｂ  車両載置台レール
４a、４ｂ  前輪
５a、５ｂ  車輪支持フレーム
６a、６ｂ  後輪
７a、７ｂ  車輪ガイドフレーム
８a、８ｂ  平行レール
９a、９ｂ  盗難防止並びに無断駐輪防止錠の取付位置  
１０a、１０ｂ  盗難防止並びに無断駐輪防止錠の取付位置  
１１  溝部
１２  錠前機構
１３  スライドアーム
１４  スポーク
１５  縁部
１６  カバー材
１７  当板
１８  ピン螺子
１９  ラッチ
２０  ラッチ受け丸棒
２１  ダイヤル錠
２２  錠前本体ケース
２３  スライド溝
２４  ダイヤル錠取付パネル
２５  車輪ガイドフレーム
２６  アタッチメント
２７  カバー材
２８a、２８ｂ  ボルト
２９a、２９ｂ  チャンネル材
３０  目盛り
【図１】
2006150995.tif 000003
【図２ａ】
2006150995.tif 000004
【図２ｂ】
2006150995.tif 000005
【図３ａ】
2006150995.tif 000006
【図３ｂ】
2006150995.tif 000007
【図４】
2006150995.tif 000008